(57)【特許請求の範囲】
【請求項１】
日射遮蔽装置の上部フレームの前面を覆うカバーの背面に取付溝を設け、同取付溝に、物品を吊下支持するフックを日射遮蔽装置の上部フレームの前後方向において取り付け及び取り外し可能に取着したことを特徴とする日射遮蔽装置の物品取付具。
【請求項２】
前記取付溝を前記カバーの全長に亘って設け、前記フックには前記取付溝に嵌合する嵌合片を設けたことを特徴とする請求項１記載の日射遮蔽装置の物品取付具。
【請求項３】
前記フックには、前記嵌合片を前記取付溝に嵌合したとき、前記カバーに弾性的に係合する係止片を設けたことを特徴とする請求項２記載の日射遮蔽装置の物品取付具。
【請求項４】
前記フックには、前記係止片の係合を解除する操作片を設けたことを特徴とする請求項３記載の日射遮蔽装置の物品取付具。
【請求項５】
前記取付溝は、前記嵌合片を移動可能に保持することを特徴とする請求項２乃至４のいずれか１項に記載の日射遮蔽装置の物品取付具。
【請求項６】
前記フックには、前記取付溝にネジを螺入可能とした取付孔を備えたことを特徴とする請求項１乃至５のいずれか１項に記載の日射遮蔽装置の物品取付具。
【請求項７】
前記取付溝には、前記ネジを呼び込む凹条を設けたことを特徴とする請求項６記載の日射遮蔽装置の物品取付具。
【請求項８】
前記フックを、前記カバーの背面に近接して取着したことを特徴とする請求項１乃至７のいずれか１項に記載の日射遮蔽装置の物品取付具。
【請求項９】
物品を吊下支持するフックを日射遮蔽装置の上部に配設し、日射遮蔽装置の上部フレームの前面を覆うカバーの背面に取付溝を設け、同取付溝に前記フックを日射遮蔽装置の上部フレームの前後方向において取り付け及び取り外し可能に取着し、前記カバーで前記フックを覆うことを特徴とする日射遮蔽装置。
【請求項１０】
前記フックを前記上部フレームの室内側に配設し、前記フックの下縁を前記カバーの下縁より上方に位置させたことを特徴とする請求項９記載の日射遮蔽装置。
【請求項１１】
前記フックを前記カバーの背面に設け、前記カバーを支持ブラケットで前後方向に移動可能に支持したことを特徴とする請求項１０記載の日射遮蔽装置。
【発明の詳細な説明】
【技術分野】
【０００１】
この発明は、横型ブラインド、縦型ブラインド、プリーツカーテン、ロールブラインド、たくし上げカーテン、パネルスクリーン等の日射遮蔽装置に装飾部品を取り付けるための取付具に関するものである。
【背景技術】
【０００２】
従来、窓際に装飾部品を吊下支持して、安らぎのある居住環境を演出しようとする際に、横型ブラインド等の日射遮蔽装置に装飾部品を吊下支持することが行なわれている。
特許文献１には、横型ブラインドのヘッドボックスに装飾部品を吊下支持するための取付具が開示されている。
【０００３】
特許文献２には、ブラインドのヘッドボックスを覆う化粧材に化粧カバーを設け、その化粧カバーにフックを備えた構成が開示されている。
【特許文献１】特許第３９０２０７９号公報
【特許文献２】実用新案登録第３１１７８３２号公報
【発明の開示】
【発明が解決しようとする課題】
【０００４】
特許文献１には、ヘッドボックスの上方に形成された凹条に掛止め可能とした取付具が開示されているが、このような構成では取付具がヘッドボックスやスラットの前面に露出して美観上好ましくない。また、特許文献２のフックも化粧カバーの前面に常に露出されているので、美観上好ましくない。
【０００５】
この発明の目的は、物品を吊下げるフックの露出を防止して美観を向上させることにある。
【課題を解決するための手段】
【０００６】
請求項１では、日射遮蔽装置の上部フレームの前面を覆うカバーの背面に取付溝を設け、同取付溝に、物品を吊下支持するフックを日射遮蔽装置の上部フレームの前後方向において取り付け及び取り外し可能に取着した。
請求項２では、前記取付溝を前記カバーの全長に亘って設け、前記フックには前記取付溝に嵌合する嵌合片を設けた。
【０００７】
請求項３では、前記フックには、前記嵌合片を前記取付溝に嵌合したとき、前記カバーに弾性的に係合する係止片を設けた。
請求項４では、前記フックには、前記係止片の係合を解除する操作片を設けた。
【０００８】
請求項５では、前記取付溝は、前記嵌合片を移動可能に保持した。
請求項６では、前記フックには、前記取付溝にネジを螺入可能とした取付孔を備えた。
請求項７では、前記取付溝には、前記ネジを呼び込む凹条を設けた。
【０００９】
請求項８では、前記フックを、前記カバーの背面に近接して取着した。
請求項９では、物品を吊下支持するフックを日射遮蔽装置の上部に配設し、日射遮蔽装置の上部フレームの前面を覆うカバーの背面に取付溝を設け、同取付溝に前記フックを日射遮蔽装置の上部フレームの前後方向において取り付け及び取り外し可能に取着し、前記カバーで前記フックを覆う。
【００１０】
請求項１０では、前記フックを前記上部フレームの室内側に配設し、前記フックの下縁を前記カバーの下縁より上方に位置させた。
請求項１１では、前記フックを前記カバーの背面に設け、前記カバーを支持ブラケットで前後方向に移動可能に支持した。
【発明の効果】
【００１１】
本発明によれば、物品を吊下げるフックの露出を防止して美観を向上させることができる。
【発明を実施するための最良の形態】
【００１２】
以下、この発明を具体化した装飾部品取付具の一実施の形態を図面に従って説明する。図１に示す横型ブラインド（日射遮蔽装置）は、ヘッドボックス（上部フレーム）１が少なくともその両端部で取付ブラケット２を介して取付面３に固定され、そのヘッドボックス１からラダーコード４を介して多数段のスラット（日射遮蔽材）５が吊下支持されている。また、各スラット５にはヘッドボックス１から垂下された昇降コード６が挿通され、その昇降コード６の下端にボトムレール（図示しない）が吊下支持されている。
【００１３】
そして、ヘッドボックス１から垂下される操作棒７の操作により、各スラット５を角度調節可能であり、昇降コード６の操作により各スラット５を昇降可能となっている。
前記取付ブラケット２の先端には、カバー８を支持するための支持ブラケット９がビス３５で前後方向に移動可能に取着され、その支持ブラケット９にカバー８が取付フレーム１０を介して取着されている。すなわち、カバー８は前記ヘッドボックス１を覆う長さに形成され、その背面に取付フレーム１０がネジ１１で固定され、その取付フレーム１０が支持ブラケット９に着脱可能に支持されている。
【００１４】
また、取付フレーム１０はその上部に設けた位置決め片３６をカバー８の位置決め溝３７の下縁に係合させることにより、カバー８との上下方向の相対位置を容易に位置決め可能となっている。
【００１５】
前記取付フレーム１０は、カバー８の全長に亘って取着されるが、ブラインドが規格品の場合には取付ブラケット２の位置が決まっているので、取付ブラケット２の周辺にのみ取付フレーム１０が取着されることもある。いずれにしても、取付フレーム１０に対する支持ブラケット９の設置位置はヘッドボックス１の長手方向に微調整可能である。
【００１６】
前記カバー８は、ヘッドボックス１を居住者の視界から遮って、横型ブラインドの美観を向上させるものである。また、カバー８の背面にはフック１２が取着され、そのフック１２から装飾部品（物品）１３が吊下支持されている。フック１２は、居住者の好みに応じて任意数取着され、各フック１２から装飾部品１３を吊下支持可能である。
【００１７】
前記装飾部品１３は、例えば上部に円形のリングを備え、金属チェーンで複数の装飾品（ビーズ、石、ガラス等）が連結されたものや、紐で吊下げられる鐘、衣服用ハンガー等がある。
【００１８】
前記カバー８はアルミの押出し形材で形成され、図３に示すように、表面がオレフィンシートなど樹脂シート３４で覆われている。すなわち、樹脂シート３４は木目調やレザー調、ミラー調などの装飾性のあるテクスチャーが施され、長尺の形材の状態で貼着され、ブラインドのサイズに合わせて切断してカバー８が形成される。
【００１９】
また、カバー８の下部は金属面が露出され、かつその露出面は室内に向かって突出するように湾曲形成されて、金属の光沢を強調するようにしている。露出面は、Ｖ溝、凹溝、テーパ形状等、様々なデザインを施すことにより美観を向上させることが可能である。
【００２０】
カバー８の両端部には、図１に示すキャップ３８が取着されている。そのキャップ３８は、カバー８の下部に設けられた中空部に挿入される挿入部と、その挿入部に設けられて、中空部に設けられた切り欠き孔に係合する突起とで、カバー８に着脱可能に取着される。
【００２１】
前記フック１２をカバー８に取着するための構成を以下に説明する。図２に示すように、前記カバー８の背面の上下方向中央部には第一の取付溝１４がカバー８の全長に亘って形成されている。
【００２２】
前記第一の取付溝１４を構成する上部辺１５の先端部は、上方に返し部１６が形成されて断面楔状に形成されている。
前記第一の取付溝１４の上面及び下面には、ネジを容易に螺入するための呼び込みとして細かな凹条１７がカバーの長手方向に沿って複数本設けられている。
【００２３】
前記カバー８の背面上部には、前記第一の取付溝１４と同様な第二の取付溝１８が形成され、図１に示すように、前記取付フレーム１０に挿通したネジ１１を螺入することにより、取付フレーム１０を固定可能となっている。
【００２４】
前記フック１２は、弾性を有する合成樹脂で成形され、上下方向に延びる主片１９の上部に取付孔２０が形成されている。前記取付孔２０の両側には、前記主片１９から水平方向に延びる一対の嵌合片２１が形成されている。その嵌合片２１は、図３に示すように、前記カバー８の第一の取付溝１４に嵌合可能とした厚さで形成されている。
【００２５】
そして、嵌合片２１を第一の取付溝１４に嵌合すると、前記取付孔２０が第一の取付溝１４に向かって開口するようになっている。
前記主片１９の上端部には、後方に延びる操作片２２が形成され、その操作片２２には、前記嵌合片２１と平行に延びる一対の係止片２３が形成されている。また、係止片２３の先端部には、前記カバー８の返し部１６に係合する断面楔状の係合部２４が形成されている。そして、図３に鎖線で示すように、前記嵌合片２１を第一の取付溝１４に嵌合すると、係合部２４が返し部１６を乗り越えて、互いに係合するようになっている。
【００２６】
また、図３に実線で示すように、操作片２２の後端部を下方へ押圧すれば、係止片２３の先端部が上方へ撓んで、係合部２４と返し部１６との係合が解除され、フック１２をカバー８から取り外し可能となっている。
【００２７】
また、フック１２の嵌合片２１を第一の取付溝１４に嵌合した状態で、前記取付孔２０にはネジ２７が挿入され、そのネジ２７が第一の取付溝１４に螺入されている。この状態では、フック１２がカバー８に対し移動不能に固定される。また、ネジ２７を螺入しない状態では、フック１２は第一の取付溝１４に沿って移動可能である。
【００２８】
前記主片１９の下端部には、後方に鉤型に延びる掛止め部２５が形成され、前記装飾部品１３を吊下支持可能となっている。
このように構成されたカバー８及びフック１２では、カバー８を支持ブラケット９に固定した状態で、フック１２をカバー８の所望位置に取着する。このとき、フック１２の嵌合片２１を第一の取付溝１４内に嵌合すれば、係止片２３の係合部２４がカバー８の返し部１６に係合して、フック１２がカバー８に対し第一の取付溝１４に沿って移動可能に保持される。
【００２９】
この状態で、掛止め部２５に装飾部品１３を掛止めすると、装飾部品１３の荷重は第一の取付溝１４に嵌合される嵌合片２１で支持され、係止片２３には作用しない。また、取付孔２０から第一の取付溝１４にネジ２７を螺入すれば、フック１２がカバー８に対し移動不能に固定される。
【００３０】
図４は、ヘッドボックス１に対し取付部材２８，２９を介して取着されるカバー３０を示す。このカバー３０は、上下に２段設けられる第三の取付溝３１及び第四の取付溝３２の上部辺にそれぞれ返し部３３が設けられて、図５（ａ）（ｂ）に示すように、フック１２を第三の取付溝３１及び第四の取付溝３２のいずれかを選択して取付可能である。
【００３１】
また、取付部材２９は、第三の取付溝３１及び第四の取付溝３２にネジで固定される。
図６は、ロールブラインドに前記カバー８を取着し、そのカバー８にフック１２を取着した例を示す。図７は、縦型ブラインドに前記カバー８を取着し、そのカバー８にフック１２を取着した例を示す。
【００３２】
同様に、図８はプリーツカーテン、図９はたくし上げカーテン、図１０は横引きカーテン、図１１はパネルスクリーンに前記カバー８を取着し、そのカバー８にフック１２を取着した例を示す。
【００３３】
図１０に示す横引きカーテンでは、二重カーテン用ブラケットの先端に取付フレーム１０を介してカバー８をネジで固定しているが、カーテンレールの天井面取付用のブラケットに前記取付フレーム１０を固定し、カバー８をカーテンレールから独立して取り付けるようにすることもできる。
【００３４】
上記のように構成された日射遮蔽装置では、次に示す作用効果を得ることができる。
（１）日射遮蔽装置のヘッドボックス、カーテンレール、ハンガーレール等を覆うカバー８，３０にフック１２を取着し、そのフック１２から装飾部品１３を吊下支持することができる。
（２）横型ブラインド、縦型ブラインド、ロールブラインド、プリーツカーテン、たくし上げカーテン、横引きカーテン、パネルスクリーン等の日射遮蔽装置で共通のフック１２を使用することができる。従って、フック１２の部品コストを低減することができる。
（３）フック１２をカバー８，３０の背面に取着したので、フック１２の露出を防止することができる。従って、装飾部品１３を飾らないときには、室内に露出しないので、ブラインド、カーテンの美観を損ねることはない。
（４）フック１２をカバー８の背面に近接して設けたので、カーテン等開閉操作に干渉しにくい。また、フック１２をカバー８の背面に接するように取着したので、装飾部品１３の荷重によるフック１２の撓みを防止することができる。
（５）フック１２の嵌合片２１をカバー８，３０の取付溝１４，３１，３２に嵌合することにより、フック１２をカバー８，３０に容易に取着することができる。
（６）嵌合片２１を取付溝１４，３１，３２に嵌合した状態では、フック１２を取付溝１４，３１，３２に沿って移動可能に保持することができる。従って、装飾部品１３の吊下位置を容易に調整可能である。
（７）操作片２２を下方へ押圧することにより、フック１２をカバー８，３０から容易に取り外すことができる。
（８）取付孔２０から取付溝１４，３１，３２にネジ２７を螺入することにより、フック１２をカバー８，３０に対し移動不能に固定することができる。従って、フック１２がカーテン、ブラインドの操作コード等に干渉してもその取付位置の無用な移動を防止することができる。
（９）取付溝１４，３１，３２に設けた凹条１７により、ネジ２７を容易に螺入することができる。
（１０）支持ブラケット９を取付ブラケット２に対し前後方向に移動可能に支持したので、装飾部品１３がブラインド等に干渉しないように調整することができる。
（１１）カバー８の前面にシート３４を貼着し、そのシート３４の下方に金属の露出面を凸面状に設けたので、カバー８の美観を向上させることができる。
（１２）カバー８に中空部を設けたので、その端部にキャップ３８を容易に取着することができる。
（１３）取付フレーム１０に設けた位置決め片３６と、カバー８に設けた位置決め溝３７により、取付フレーム１０をカバー８にネジ１１で容易に取着することができる。
【００３５】
上記実施の形態は、以下の態様で実施してもよい。
・カバーに取付溝を上下方向に３段以上設けてもよい。フックの取付高さを細かく調整することができる。
・上記のような日射遮蔽装置を間仕切りとして使用する場合、カバーをヘッドボックスの前後に設けてもよい。
・フック１２の係止片２３を省略して、フック１２をネジ２７で保持してもよい。
・フック１２の係止片２３を省略し、嵌合片２１の厚さを第一の取付溝１４の幅より僅かに厚くし、嵌合片２１を第一の取付溝１４に圧入する用にしてもよい。
【図面の簡単な説明】
【００３６】
【図１】カバーにフックを取着した横型ブラインド示す側面図である。
【図２】カバーとフックを示す分解斜視図である。
【図３】フックの取付状態を示す側面図である。
【図４】フックを取着した横型ブラインド示す側面図である。
【図５】（ａ）（ｂ）はフックの取付状態を示す側面図である。
【図６】フックを取着したロールブラインドを示す側面図である。
【図７】フックを取着した縦型ブラインドを示す側面図である。
【図８】フックを取着したプリーツカーテンを示す側面図である。
【図９】フックを取着したたくし上げカーテンを示す側面図である。
【図１０】フックを取着した横引きカーテンを示す側面図である。
【図１１】フックを取着したパネルスクリーンを示す側面図である。
【符号の説明】
【００３７】
１…上部フレーム（ヘッドボックス）、８…カバー、１２…フック、１３…物品（装飾部品）、１４，３１，３２…取付溝。
【図１】
0005588591.tif 000002
【図２】
0005588591.tif 000003
【図３】
0005588591.tif 000004
【図４】
0005588591.tif 000005
【図５】
0005588591.tif 000006
【図６】
0005588591.tif 000007
【図７】
0005588591.tif 000008
【図８】
0005588591.tif 000009
【図９】
0005588591.tif 000010
【図１０】
0005588591.tif 000011
【図１１】
0005588591.tif 000012